(57)【要約】【課題】載置されたケーキ類の移動を規制するとともに、保冷剤等の備品類を収容するためのスペースを十分に確保できるケーキ類用トレーを提供することを課題としている。【解決手段】四角形の底板を有する包装箱１８内に位置移動を規制した状態で収容し、上面にケーキ類２を載置する台板３を備え、台板３上に載置されるケーキ類２の外周に位置して該ケーキ類２の移動を規制する複数の規制部６を設けたケーキ類用トレーにおいて、前記複数の規制部６の少なくとも一つを、台板３の一部に折曲げ起伏可能な折目となる底辺１６を台板の中心側に形成し、上記底辺１６の両端より台板３の外周側に向かって突出するフラップ状の係止片６Ｂを形成することにより構成し、該係止片６Ｂを折曲げ起立させることにより、上記包装箱１８のコーナーの係止片６Ｂの外側に備品収納スペースＳを形成する。【選択図】図１
0003179017.tif 000002
【実用新案登録請求の範囲】
【請求項１】
四角形の底板を有する包装箱（１８）内に位置移動を規制した状態で収容し、上面にケーキ類（２）を載置する台板（３）を備え、台板（３）上に載置されるケーキ類（２）の外周に位置して該ケーキ類（２）の移動を規制する複数の規制部（６）を設けたケーキ類用トレーにおいて、前記複数の規制部（６）の少なくとも一つを、台板（３）の一部に折曲げ起伏可能な折目となる底辺（１６）を台板の中心側に形成し、上記底辺（１６）の両端より台板（３）の外周側に向かって突出するフラップ状の係止片（６Ｂ）を形成することにより構成し、該係止片（６Ｂ）を折曲げ起立させることにより、上記包装箱（１８）のコーナーの係止片（６Ｂ）の外側に備品収納スペース（Ｓ）を形成するケーキ類用トレー。
【請求項２】
前記係止片（６Ｂ）は、底辺（１６）の両端より底辺（１６）を切残した状態で台板（３）の外周方向に向かって突出するようにフラップ状に打抜き形成し、該係止片（６Ｂ）を折曲げて起立させることにより、台板（３）上の係止片（６Ｂ）の外側の備品収納スペース（Ｓ）と、台板（３）側の打抜き孔（１７）とを形成する請求項１に記載のケーキ類用トレー。
【請求項３】
前記台板（３）を方形状に形成し、該台板（３）のコーナーに、前記規制部（６）を設けた請求項１又は２の何れかに記載のケーキ類用トレー。
【請求項４】
前記係止片（６Ｂ）に通気孔（１９）を穿設した請求項１乃至３の何れかに記載のケーキ類用トレー。
【請求項５】
台板（３）の向かい合う一対のコーナーに、それぞれ前記係止片（６Ｂ，６Ｂ）を設け、台板（３）の持上げ用把持片とする請求項３又は４の何れかに記載のケーキ類用トレー。
【請求項６】
台板（３）の包装箱（１８）への差込方向に沿った外周辺の相対する両辺を台板（３）の内側に向けて凹状に窪ませるように形成した請求項１乃至５の何れかに記載のケーキ類用トレー。
【請求項７】
台板（３）を下部台板（３Ｂ）と、該下部台板（３Ｂ）上に重ねて固定される上部台板（３Ａ）とにより構成し、前記規制部（６）のうち少なくとも２つは、上部台板（３Ａ）のコーナー部として外側に突出する端部を山型に折曲げて内側壁（７）と外側壁（８）とを形成し、該外側壁（８）の下端側を、下部台板（３Ｂ）のコーナーに設けた係合孔（１１）に係合させることにより、前記規制部（６Ａ）を構成した請求項３乃至６の何れかに記載のケーキ類用トレー。
【請求項８】
前記上部台板（３Ａ）は、係止片（６Ｂ）が形成される側のコーナーを、下部台板（３Ｂ）側の打抜き孔（１７）が露出する円弧状に形成する請求項７に記載のケーキ類用トレー。
【考案の詳細な説明】
【技術分野】
【０００１】
この考案は、和菓子を含むケーキ類を載置するケーキ類用トレーに関する。
【背景技術】
【０００２】
従来、デコレーションケーキ等を載置するケーキ類用トレーは、載置されたケーキ類が水平方向に移動することにより収容された包装箱内に接触して型崩れするという問題点があった。そのため、四角形の底板を有する包装箱内に位置移動が規制された状態で収容されるとともに、上面にケーキ類が載置される台板上に、ケーキ類の周囲に位置して該ケーキ類の移動を規制する複数の規制部を設けた特許文献１に示されるケーキ類用トレーが公知となっている。
【先行技術文献】
【特許文献】
【０００３】
【特許文献１】特許第３１６８４２０号公報
【考案の概要】
【考案が解決しようとする課題】
【０００４】
上記文献のケーキ類用トレーは、台板の外周側に設けた複数の規制部によって台板の上面側に載置されたケーキ類が移動することを効果的に規制できる一方で、ケーキ類の載置スペースの外周側に設けた規制部により、台板にケーキ類を載置した状態で包装箱にいれた際に包装箱のコーナーに保冷剤や蝋燭等の備品類を収容すると、保冷剤等の安定性が悪く、ケーキ類を損傷する欠点がある他、収納スペースも少ないという欠点がある。このため、保冷剤等は箱の周壁内や天井内面に特別のポケットを貼付形成する必要があった。
【０００５】
本考案は、載置されたケーキ類の移動を規制するとともに、保冷剤等の備品類を安定的に収容するためのスペースを十分に確保でき、ケーキ類を傷つけないで収納できるケーキ類用トレーを提供することを課題としている。
【課題を解決するための手段】
【０００６】
上記課題を解決するため第１に、四角形の底板を有する包装箱１８内に位置移動を規制した状態で収容し、上面にケーキ類２を載置する台板３を備え、台板３上に載置されるケーキ類２の外周に位置して該ケーキ類２の移動を規制する複数の規制部６を設けたケーキ類用トレーにおいて、前記複数の規制部６の少なくとも一つを、台板３の一部に折曲げ起伏可能な折目となる底辺１６を台板の中心側に形成し、上記底辺１６の両端より台板３の外周側に向かって突出するフラップ状の係止片６Ｂを形成することにより構成し、該係止片６Ｂを折曲げ起立させることにより、上記包装箱１８のコーナーの係止片６Ｂの外側に備品収納スペースＳを形成することを特徴としている。
【０００７】
第２に、前記係止片６Ｂは、底辺１６の両端より底辺１６を切残した状態で台板３の外周方向に向かって突出するようにフラップ状に打抜き形成し、該係止片６Ｂを折曲げて起立させることにより、台板３上の係止片６Ｂの外側の備品収納スペースＳと、台板３側の打抜き孔１７とを形成することを特徴としている。
【０００８】
第３に、前記台板３を方形状に形成し、該台板３のコーナーに、前記規制部６を設けたことを特徴としている。
【０００９】
第４に、前記係止片６Ｂに通気孔１９を穿設したことを特徴としている。
【００１０】
第５に、台板３の向かい合う一対のコーナーに、それぞれ前記係止片６Ｂ，６Ｂを設け、台板３の持上げ用把持片とすることを特徴としている。
【００１１】
第６に、台板３の包装箱１８への差込方向に沿った外周辺の相対する両辺を台板３の内側に向けて凹状に窪ませるように形成したことを特徴としている。
【００１２】
第７に、台板３を下部台板３Ｂと、該下部台板３Ｂ上に重ねて固定される上部台板３Ａとにより構成し、前記規制部６のうち少なくとも２つは、上部台板３Ａのコーナー部として外側に突出する端部を山型に折曲げて内側壁７と外側壁８とを形成し、該外側壁８の下端側を、下部台板３Ｂのコーナーに設けた係合孔１１に係合させることにより、前記規制部６Ａを構成したことを特徴としている。
【００１３】
第８に、前記上部台板３Ａは、係止片６Ｂが形成される側のコーナーを、下部台板３Ｂ側の打抜き孔１７が露出する円弧状に形成することを特徴としている。
【考案の効果】
【００１４】
台板の外周側に向かって突出したフラップ状の係止片を設け、係止片を起立させることにより、包装箱のコーナーの係止片の外側に、保冷材や蝋燭等の備品を安定的に収納するための備品収納スペースを確保できるとともに、起立した係止片が備品とケーキ類との接触を防ぐことができる他、該係止片が台板上のケーキ類のより安定した規制部としても機能する。
【００１５】
さらに、前記係止片は、底辺の両端より底辺を切残した状態で台板の外周方向に向かって突出するように打抜くことによりフラップ状に形成し、該係止片を折曲げて起立させることにより、台板上の係止片の外側の備品収納スペースと、台板側の打抜き孔とを形成したものによれば、該打抜き孔が、包装箱の横方向の開口部から台板を取出す際の把手として機能するとともに、把手となる抜打ち孔を形成するために台板の他に別途材料を用意する必要も、把手部分のみ台板を大きく形成する必要もないため、製造コストも低く抑えることができる。
【００１６】
前記台板を方形状に形成し、該台板のコーナーに、前記規制部を設けたことにより、台板中央側のケーキ類の載置スペースを広く確保できる。
【００１７】
前記係止片に通気孔を穿設したことにより、収容箱内での係止片近傍の冷気の通気性を確保できるとともに、前記係止片を持ち上げ把持するつまみ孔としても機能する。
【００１８】
また台板の向かい合う一対のコーナーに、それぞれ前記係止片を設け、台板の持上げ用把持片とすることにより、一対の把持片を把持することにより、ケーキが載置された状態の台板を容易に持ち運ぶことができ、上面側が開口する包装箱であっても台板の出し入れを容易にできる。
【００１９】
台板の包装箱への差込方向に沿った外周辺の相対する両辺を台板の内側に向けて凹状に窪ませるように形成したことにより、包装箱から水平方向に台板を引出し易くするものである。
【図面の簡単な説明】
【００２０】
【図１】本発明を適用したケーキ類用トレーの使用状態を示す斜視図である。
【図２】本発明を適用したケーキ類用トレーの使用状態を示す平面図である。
【図３】上部台板の平面図である。
【図４】下部台板の平面図である。
【考案を実施するための形態】
【００２１】
図１及び図２は、本発明を適用したケーキ類用トレーの使用状態を示す斜視図及び平面図である。図示するケーキ類用トレーは、全体が紙板で形成されており、上面側にケーキや和菓子等のケーキ類２が載置される長方形又は正方形（図示する例では略正方形）の台板３と、該台板３のケーキ類２の載置スペース４の外周位置に設けられて、ケーキ類２が載置スペース４上を移動することを規制する規制部６とを備えている。
【００２２】
前記規制部６は、山型又はひだ状に折り曲げられた板状部材により複数（図示する例では３つ）形成された規制片６Ａと、台板３のコーナーの一部を打抜いて形成された少なくとも一つ（図示する例では１つ）の係止片６Ｂとから構成されている。
【００２３】
前記台板３は、方形状に形成されて上面側にケーキ類２が載置されるとともに、コーナーに規制片６Ａが形成される上部台板３Ａと、該上部台板３Ａが上面側に接着・固定されるとともに、コーナーに係止片６Ｂが形成される下部台板３Ｂと、から構成されている。以下、台板３に形成された規制片６Ａ及び係止片６Ｂについて説明する。
【００２４】
前記規制片６Ａは、図示するように、内側壁７と外側壁８とが形成されるように山型又はひだ状に折曲げられた上部台板３Ａによって形成されており、立ち上げられた内側壁７によって、載置スペース４上のケーキ類２の移動を規制する。また、規制片６Ａが形成される上部台板３は、内側壁６の下端側又は内端側が下部台板３Ｂに接着固定されるとともに、下部台板３Ｂ側には、内側壁７及び外側壁８を形成した折曲げ状態を保持するように外側壁８の下端側に形成した係合部９と係脱可能な、係合孔１１が設けられている。
【００２５】
言い換えると、前記規制片６Ａは、下部台板３Ｂよりも一回り小さく構成され、下部台板３Ｂの上面に上下二重に重ねて一体的に接着固定された方形状の前記上部台板３Ａを用いて形成されており、該上部台板３Ａの周縁の複数（３箇所）のコーナー部裏面に非接着部分を設け、該非接着部分を折り曲げることにより規制片６Ａを形成している。
【００２６】
前記係止片６Ｂは、図示するように、方形状の下部台板３Ｂのコーナーにおいて、折曲げ起伏可能な底辺１６を載置スペース側（台板の中心側）に形成し、該底辺１６の両端から台板３の外周側に向かって突出させたコ字状に打抜くことにより、フラップ状に形成される。このフラップは、図示例では台形に形成されているが、長方形、円弧状、その他の形状でも良い。形成されたフラップ状の係止片６Ｂは、前記底辺１６で起立方向に折曲げた起立状態にすることにより、載置スペース４に載置されたケーキ類２の移動を規制する規制部６として機能する。
【００２７】
このとき、前記係止片６Ｂを起立状態にすることにより、下部台板３Ｂ側に係止片６Ｂの形状に沿った把持孔（抜打ち孔）１７が形成されており、四角形の底板を有する包装箱１８内に収容された収容状態の台板３を、包装箱１８の横方向の開口部から引出す際に、使用者が前記把持孔１７をつまむか、指を引っ掛ける等することにより、台板３を包装箱１８から容易に引出すことができる。
【００２８】
さらに、前記係止片６Ｂには、内側に冷気を流入させる円形の通気孔１９が穿設されている。該通気孔１９は、上記のように包装箱１８の横方向の開口部から収容された台板３を引出す際に、台板３側を把持するつまみ孔として用いることができる。これにより、台板３を包装箱１８から容易に取出すことができる。台板３を取出す際には、前記把持孔１７と通気孔１９のどちらを用いても良い。
【００２９】
上述の構造により、図１に示すように、四角形の底板を有する包装箱１８内に台板３が収容された収容状態において、前記係止片６Ｂを起立状態にすることにより、該係止片６Ｂが、前記規制片６Ａと同様に載置スペース４に載置されたケーキ類２の水平方向の移動を規制するとともに、該係止片６Ｂの外周外側と、係止片６Ｂ側の包装箱１８のコーナー側との間に、保冷剤や蝋燭等の備品（図示する例では保冷剤）２２を載置できる備品収納スペースＳが形成される。すなわち、該係止片６Ｂを形成することにより、ケーキ類の移動を規制する規制部６が形成されるとともに、包装箱１８内の備品収納スペースＳが確保される。
【００３０】
このとき、係止片６Ｂは、載置スペース４側と備品収納スペースＳとの間の仕切りとなるとともに、該仕切りに通気孔１９が穿設されているため、上記載置スペース４と備品収納スペースＳとの間に通気性が確保される。そのため、備品収納スペースＳに収納された保冷剤は、直接ケーキ類２に触れることがなく、保冷剤の冷気は効率的にケーキ類２側へ送られる。
【００３１】
また、下部台板３Ｂは、各コーナー外周辺が、コーナーを形成する両辺を下部台板３Ｂの内側に向けて凹状に窪ませることにより絞り部２０（くびれ）が形成されており、該絞り部２０により、前記把持孔１７又は通気孔１９を用いて包装箱１８から途中まで引出された台板３が把持し易くなる。なお、包装箱１８に収容された台板３について、開口部側に把持孔１７及び係止片６Ａがない場合であっても、下部台板３Ｂの各コーナーの外周縁側に形成した絞り部２０に指を引っ掛けることにより、台板３を包装箱１８から取出すこともできる。
【００３２】
次に、図１乃至４に基づいて、本発明のケーキ類用トレーの構成について具体的に説明する。図３は、上部台板の平面図であり、図４は、下部台板の平面図である。
前記上部台板３Ａは、図３に示されるように、略正方形に形成されており、該下部台板３Ｂとの非接着部分であって規制片６Ａが構成されるコーナーでは、外側方を向く三角形状となり、内側壁７の下端に予め谷線１２の折目を付し、内側壁７と外側壁８との境界線に予め山線の折目１３を付し、上部台板３Ａのコーナーの端部側に下部台板３Ｂ側の係合孔１１と係合する係合部９を形成するために予め谷線１４の折目を付している。
【００３３】
また、前記上部台板３Ａの中央側には、ケーキ類２が載置される載置スペース４が形成されている。また、方形状の上部台板３Ａの規制片６Ａが形成されないコーナーは、ケーキ類２の載置スペース４の形状に沿った円弧状に形成されており、下部台板３Ｂ側のコーナーが上面側に露出するように構成されている。
【００３４】
前記下部台板３Ｂは、図２及び図４に示されるように、上記収容状態において、包装箱１８内に収容された台板３の位置移動が規制されるように、包装箱１８の底板と略同じ大きさに形成されている。さらに詳しくは、方形状の各コーナーにＲを形成するとともに、各コーナーの両辺を下部台板３の内側に向けて凹状に窪ませた前記絞り部２０が形成されている。さらに、下部台板３Ｂの各片の中間部分には、包装箱１８の内側と当接することにより、包装箱１８内の台板３の挿入時のガイドをスムーズにする規制辺２１が形成されている。
【００３５】
また、前記下部台板３Ｂの中央側は、上部台板３Ａのケーキ類２の載置スペース４の形状に外接する形状ののり代を形成しており、下部台板３Ｂの上面側に、上部台板の規制片６Ａを形成するコーナー部分を除く中央側を貼付けることによって、台板３を構成している。具体的には、下部台板３Ｂのコーナーに形成した係止孔１１と、上部台板３Ａのコーナーに形成した非接着部分である規制片６Ａとで位置あわせをして重ねるにように接着させる。
【００３６】
上部台板３Ａと下部台板３Ｂの接着後、上部台板３Ａのコーナーを各折目１２，１３，１４に沿って山型又はひだ状に折り曲げ、端部の係止部９を下部台板３Ｂ側の係止孔１１に挿通・係止することにより、規制片６Ａを構成した。また、上部台板３Ａにおいて円弧状に形成されて、下部台板３Ｂが露出したコーナーにおいて、下部台板３Ｂのコーナーの一部を打抜いて形成した前記係止片６Ｂを起立側に折り曲げることにより、係止片６Ｂを構成した。
【００３７】
該構成によれば、収容状態の台板３は、方形状の下部台板３Ｂの各辺に形成されて包装箱１８内側と当接する前記規制辺２１によって、台板３そのものの動きが規制され、包装箱１８での台板３そのものの移動を規制できる。さらに、載置スペース４に載置されたケーキ類は、上述の規制部６によって、ケーキ類２が載置スペース上で移動することを規制しているため、包装箱１８内のケーキ類２の移動をより確実に防ぐことができる。また、形成された台板３中央の載置スペース４が二重構造となり、台板が効率的に補強されている。
【００３８】
次に、本発明の別実施例について、上述の例と異なる点を説明する。
方形状の下部台板３Ｂのコーナーに形成される係止片６Ｂ及び把持孔１７を、対角上にある一対のコーナーにそれぞれ形成した構成としても良い。
【００３９】
該構成によれば、一対の係止片６Ａ，６Ａ及び前記通気孔１９を、つまみ孔として把持することにより、台板３の載置スペース４に載置されたケーキ類２を略水平に保った状態で持ち運ぶことができるようになる。さらに、上面側が開口される包装箱１８に台板３が収容された場合であっても、一対の係止片（通気孔）を把持することにより、台板３上に載置したケーキ類２を安定した状態で容易に出し入れすることができるため、汎用性及び利便性が向上するものである。
【００４０】
また、前記係止片６Ｂを形成する底辺１６を、下部台板３Ｂ側のコーナーを横断するように形成するとともに、前記係止片６Ｂを、下部台板３Ｂを打抜くことなくコーナーごと起立方向に折り曲げることによって形成しても良い。該構成によれば、係止片６Ｂ及び収納状態時の備品収納スペースＳをより簡易且つ安価に構成できる。
【符号の説明】
【００４１】
２    ケーキ類
３    台板
３Ａ  上部台板
３Ｂ  下部台板
６    規制部
６Ｂ  係止片
７    内側壁
８    外側壁
１１    係合孔
１６    底辺
１７    把持孔（打抜き孔）
１８    包装箱
１９    通気孔
Ｓ    備品収納スペース
【図１】
0003179017.tif 000003
【図２】
0003179017.tif 000004
【図３】
0003179017.tif 000005
【図４】
0003179017.tif 000006